(57)【要約】【課題】履き口のずれ落ちが抑制された足カバーを提供する。【解決手段】靴底１１と、靴底１１に連結されたアッパー１２とを備え、ギプス１３及び包帯の少なくとも１を取り付けた足１４に装着される足カバー１０において、アッパー１２は、厚みが０．０５ｍｍ以上０．３０ｍｍ以下のプラスチックによって形成され、アッパー１２全体が靴底１１から立ち上がった形状を維持可能な剛性を有している。また、アッパー１２は、半分以上が透光性を有し、外側から足カバー１０を通して足カバー１０内に収容された足１４を見ることができる視認性を確保している。【選択図】図１
2014223124.tif 000002
【特許請求の範囲】
【請求項１】
靴底と、前記靴底に連結されたアッパーとを備え、ギプス及び包帯の少なくとも１を取り付けた足に装着される足カバーにおいて、
前記アッパーは、厚みが０．０５ｍｍ以上０．３０ｍｍ以下のプラスチックによって形成され、半分以上が透明又は半透明であることを特徴とする足カバー。
【請求項２】
請求項１記載の足カバーにおいて、前記アッパーは、プラスチックシートの一側と他側を複数の接着部Ａにより連結してなるカバー体を備え、隣り合う前記接着部Ａの間に隙間を設けて通気孔Ｂが形成されていることを特徴とする足カバー。
【請求項３】
請求項１又は２記載の足カバーにおいて、前記靴底と前記アッパーは複数の接着部Ｃによって連結され、隣り合う前記接着部Ｃの間に隙間を設けて通気孔Ｄが形成されていることを特徴とする足カバー。
【請求項４】
請求項１〜３のいずれか１項に記載の足カバーにおいて、前記アッパーに複数のピンホールが形成されていることを特徴とする足カバー。
【請求項５】
請求項１〜４のいずれか１項に記載の足カバーにおいて、前記プラスチックには、消臭剤が練り込まれていることを特徴とする足カバー。
【発明の詳細な説明】
【技術分野】
【０００１】
本発明は、ギプスや包帯を取り付けた足に装着される足カバーに関する。
【背景技術】
【０００２】
骨折等により、足にギプスや包帯が取り付けられ、靴が履けない状態では、ギプスや包帯が、直接、地面等に触れて、汚れるので不衛生である。
家庭用のごみ袋やスーパーの買い物袋を足に装着すれば、ギプスや包帯の汚れを防げるが、そもそもこれらの袋は足への装着を前提としておらず、足への取り付けが容易でない上、外観の点で人目が気になるという問題がある。
【０００３】
そこで、専用の足カバーをギプスや包帯が取り付けられた足に装着することが考えられ、その具体例が、例えば特許文献１、２に記載されている。
特許文献１には、履き口が伸縮性のある素材又はゴム体を混入して形成され、履き口の締め付け力によって足に固定される足カバーが記載されている。
また、特許文献２の足カバーは、面状ファスナーを外すことによって履き口が広がる構造を備えているので、足カバーへの足の挿入を容易に行うことができる。
【先行技術文献】
【特許文献】
【０００４】
【特許文献１】特開２００３−３８５４９号公報
【特許文献２】実用新案登録第３１２８０８５号公報
【発明の概要】
【発明が解決しようとする課題】
【０００５】
しかしながら、特許文献１の足カバーは、主として履き口の締め付けによって足に固定されるため、履き口が膝や脛からずれ落ちて足カバーが足から外れ易いという問題がある。
また、特許文献２の足カバーは、対となる面状ファスナーの貼り合わせにより狭められた履き口が足首付近に配置されることによって足に固定されるデザインのため、履き口を足首より上、例えば脛に配置する単純なデザイン変更を行うと、特許文献１と同様に履き口がずれ落ちて足カバーが足から外れ易いという問題が招来する。
本発明は、かかる事情に鑑みてなされるもので、履き口のずれ落ちが抑制された足カバーを提供することを目的とする。
【課題を解決するための手段】
【０００６】
前記目的に沿う本発明に係る足カバーは、靴底と、前記靴底に連結されたアッパーとを備え、ギプス及び包帯の少なくとも１を取り付けた足に装着される足カバーにおいて、前記アッパーは、厚みが０．０５ｍｍ以上０．３０ｍｍ以下のプラスチックによって形成され、半分以上が透明又は半透明である。
【０００７】
本発明に係る足カバーにおいて、前記アッパーは、プラスチックシートの一側と他側を複数の接着部Ａにより連結してなるカバー体を備え、隣り合う前記接着部Ａの間に隙間を設けて通気孔Ｂが形成されているのが好ましい。
【０００８】
本発明に係る足カバーにおいて、前記靴底と前記アッパーは複数の接着部Ｃによって連結され、隣り合う前記接着部Ｃの間に隙間を設けて通気孔Ｄが形成されているのが好ましい。
【０００９】
本発明に係る足カバーにおいて、前記アッパーに複数のピンホールが形成されているのが好ましい。
【００１０】
本発明に係る足カバーにおいて、前記プラスチックには、消臭剤が練り込まれているのが好ましい。
【発明の効果】
【００１１】
本発明に係る足カバーは、アッパーが、厚みが０．０５ｍｍ以上０．３０ｍｍ以下のプラスチックによって形成されているので、アッパーはアッパーの形状を保つのに十分な剛性を有し、アッパーの形状が変形することにより発生する履き口のずれ落ちを確実に抑制することができる。
また、アッパーは、半分以上が透明又は半透明であるので、足カバーを装着している者の近くにいる者に対し、ギプスや包帯が取り付けられた足を足カバーを通して安定的に視認させ、足カバーを装着した足への接触を予防させることができる。
【図面の簡単な説明】
【００１２】
【図１】本発明の一実施の形態に係る足カバーを足に装着した状態を示す側面図である。
【図２】同足カバーの正面図である。
【図３】同足カバーの側面図である。
【図４】同足カバーの底面図である。
【発明を実施するための形態】
【００１３】
続いて、添付した図面を参照しつつ、本発明を具体化した実施の形態につき説明し、本発明の理解に供する。
図１〜図４に示すように、本発明の一実施の形態に係る足カバー１０は、靴底１１と、靴底１１に連結されたアッパー１２とを備え、ギプス１３及び包帯の少なくとも１を取り付けた足１４に装着される。以下、詳しく説明する。
【００１４】
アッパー１２は、図１〜図３に示すように、靴底１１から立ち上がるようにデザインされて、少なくとも足１４の甲及び足首を覆い、上端に足１４の抜き差しが行われる履き口１５が形成されている。
また、アッパー１２は、全体がプラスチック（本実施の形態ではポリエチレン）によって形成されている。アッパー１２の全体をプラスチックで形成しているのは、アッパー１２の製造工程を簡素化して、足カバー１０の製造コストの低減化を図るためである。本実施の形態では、靴底１１を、アッパー１２を形成しているプラスチックと同素材によって形成し、足カバー１０の製造コストの更なる低減化が図られている。
【００１５】
アッパー１２は、全体が透明又は半透明であり、外側からアッパー１２を介して足カバー１０内を視認可能にしている。これにより、足カバー１０を装着している者は、その近くにいる者に対し、ギプス１３や包帯が足１４に取り付けられていることを視覚的に気付かせて足１４へ接触するのを予防させることができる。
本実施の形態では、アッパー１２の全体が透明又は半透明であるが、アッパー１２の半分以上が透明又は半透明であれば、その他の部分が不透明であってもよい。これは、アッパー１２の半分以上の領域が透明又は半透明であれば、外側から足カバー１０内の足１４を安定的に視認できるためである。
ここで、透明又は半透明とは、可視光領域の４５０〜６００ｎｍの波長の平均光透過率が４０〜１００％の範囲であることを意味し、このレベルの透光性を有することで、アッパー１２を通して足カバー１０内を安定的に視認できることが確認されている。
【００１６】
また、アッパー１２は、アッパー１２の下端から上端にかけた全体が靴底１１から立ち上がった形状を保つことが可能な剛性を有している。アッパー１２全体が靴底１１から立ち上がった形状を保てないと、履き口１５がずれ落ちて足カバー１０が足１４から外れ易くなることから、アッパー１２全体が靴底１１から立ち上がった形状を保つことは、足カバー１０が足１４から外れるのを防ぐのに有効である。
【００１７】
本実施の形態では、履き口１５を膝と足首の間に配した状態で足カバー１０が足１４に装着されるデザイン、具体的には、履き口１５から靴底１１までの距離が１０ｃｍ〜５０ｃｍとなるデザインを採用している。これは、調査によって、足カバーの装着を必要とする者からそのデザインの要求が多いことが確認されていることによるものである。
そして、アッパー１２全体が靴底１１から立ち上がった状態を保つには、靴底１１から履き口１５までの間隔が長いほど、アッパー１２の剛性を高める必要があるのはいうまでもない。
【００１８】
ここで、種々の検証により、アッパー１２を形成するプラスチックの厚みが０．０５ｍｍ未満であると、履き口１５が足首の直ぐ上（例えば、足首の２ｃｍ上）に配置されるデザインを採用し靴底１１から履き口１５までの間隔を短くしても、アッパー１２全体が靴底１１から立ち上がった形状を維持できない場合があることを確認している。
一方、アッパー１２を形成するプラスチックの厚みが０．３０ｍｍであると、履き口１５を膝の近傍（例えば、膝の１ｃｍ下）に配するデザインを採用しアッパー１２の剛性を最も高める必要がある条件にしても、アッパー１２全体が靴底１１から立ち上がった形状を確実に保てることを確認している。
【００１９】
因って、アッパー１２全体が靴底１１から立ち上がった形状を保つという観点では、アッパー１２を形成するプラスチックを０．３０ｍｍより厚くしても優位性がなく、逆に、アッパー１２の形成に要する原料が多くなってコストが上昇するという課題が生じる。
従って、本実施の形態では、アッパー１２を形成するプラスチックの厚みを０．０５ｍｍ以上０．３０ｍｍ以下にしている。
更に、アッパー１２を形成するプラスチックの厚みを０．０５ｍｍ以上にすることで、足カバー１０が堅牢性を備えた外観となり、見た目が堅牢でない足カバーに比べ、人目を気にすることなく足カバー１０を装着し外出することができる。従って、アッパー１２を形成するプラスチックの厚みを０．０５ｍｍ以上にすることは外観の観点でも有効である。
【００２０】
また、足カバー１０が装着された足１４のつま先側を前側、踵側を後側とすると、アッパー１２の足１４の足首が配された位置から履き口１５までの高さ領域（以下、「高さ領域Ｈ」という）には、図１〜図３に示すように、前側に、折り込み部１６が設けられている。
折り込み部１６は、アッパー１２を形成するプラスチックシートに対し、複数箇所で折り加工を行うことによって形成され、高さ領域Ｈの上から下にかけて設けられている。
折り込み部１６を左右に広げることで、アッパー１２の高さ領域Ｈは、幅広となって、足１４が容易に足カバー１０内に挿入される状態、あるいは、足１４が容易に足カバー１０から抜ける状態になる。
【００２１】
そして、アッパー１２の高さ領域Ｈには、折り込み部１６、あるいはその近傍に複数の貫通孔１７が形成され、この複数の貫通孔１７には靴紐１８が取り付けられている。
アッパー１２の高さ領域Ｈは、靴紐１８を締め付けることにより幅狭となって、足１４への密着性が高められる。従って、靴紐１８を締め付けることで、足カバー１０を確実に足１４に固定することが可能となる。
【００２２】
また、アッパー１２は、足１４のつま先及び甲を覆うカバー体１９と、折り込み部１６及び履き口１５が形成され、少なくとも足１４の踵及び足首を覆うカバー体２０とから、主として形成されている。
カバー体１９、２０は、それぞれ一枚のプラスチックシートによって形成され、カバー体１９は、カバー体２０に連結されている。
【００２３】
カバー体２０は、折り込み部１６が形成されたプラスチックシートを筒状にし接触させたプラスチックシートの幅方向一端部（一側）と他端部（他側）を、所定ピッチで熱圧着することによって形成されている。カバー体２０には、この所定ピッチでなされた熱圧着により、カバー体２０の後側に、高さ方向に沿って、複数の接着部２１（接着部Ａ）が配され、プラスチックシートの幅方向一端部と他端部は、この複数の接着部２１によって連結されている。
そして、隣り合う接着部２１の間に隙間を設けることにより、カバー体２０に通気孔２２（通気孔Ｂ）が形成されている。
【００２４】
主としてプラスチックシートにより形成された靴底１１は、図２〜図４に示すように、周縁が、所定ピッチでカバー体１９、２０にそれぞれ熱圧着されている。靴底１１の周縁には、この所定ピッチでなされた熱圧着によって複数の接着部２３（接着部Ｃ）が設けられ、靴底１１とカバー体１９、及び、靴底１１とカバー体２０は、それぞれ複数の接着部２３によって連結されている。
複数の接着部２３は、隣り合う接着部２３の間に隙間が設けられ、この隙間によって、靴底１１とカバー体１９の間、及び、靴底１１とカバー体２０の間に、それぞれ複数の通気孔２４（通気孔Ｄ）が形成されている。
足カバー１０は、複数の通気孔２２及び複数の通気孔２４により、内側が蒸れるのを抑制されている。
【００２５】
複数の通気孔２２及び複数の通気孔２４に加え、あるいは、複数の通気孔２２及び複数の通気孔２４に代えて、カバー体１９、２０に複数のピンホールを形成して通気構造を設けてもよい。ピンホールは、微小（本実施の形態では１０μm以上１００μｍ以下）な貫通孔であり、カバー体１９、２０に水が掛かってもその水がカバー体１９、２０のピンホールを通って、足カバー１０内に浸入するのを抑制可能である。従って、複数の通気孔２２及び複数の通気孔２４に代えて、カバー体１９、２０にピンホールを形成することにより、雨の日に外出しても、足カバー１０内が濡れるのを抑制できるようになる。
【００２６】
本実施の形態では、カバー体２０を形成するプラスチックシートの複数の接着部２１による連結と折り込み部１６とが、アッパー１２の剛性を高めるリブの作用を発揮し、アッパー１２全体が靴底１１から立ち上がった状態を保つのに寄与している。
また、カバー体１９、２０を形成するプラスチックシートを製造する工程では、プラスチックに、消臭剤（本実施の形態では金属イオン系の消臭剤）が練り込まれているので、足カバー１０内は悪臭が生じるのを抑制されている。
【００２７】
以上、本発明の実施の形態を説明したが、本発明は、上記した形態に限定されるものでなく、要旨を逸脱しない条件の変更等は全て本発明の適用範囲である。
例えば、アッパーを１つのカバー体によって形成してもよい。
また、アッパーを形成するプラスチックは、ポリエチレンに限定されず、例えば、ポリプロピレンであってもよい。
更に、カバー体の一端部と他端部の連結、及び、カバー体と靴底の連結は、熱圧着ではなく、接着剤により連結することもできる。
【符号の説明】
【００２８】
１０：足カバー、１１：靴底、１２：アッパー、１３：ギプス、１４：足、１５：履き口、１６：折り込み部、１７：貫通孔、１８：靴紐、１９、２０：カバー体、２１：接着部、２２：通気孔、２３：接着部、２４：通気孔
【図１】
2014223124.tif 000003
【図２】
2014223124.tif 000004
【図３】
2014223124.tif 000005
【図４】
2014223124.tif 000006